【手続補正書】
【提出日】平成29年7月31日(2017.7.31)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
クリアツートランスミット（ＣＴＸ）メッセージを２つ以上の局に送信するための手段と、前記ＣＴＸメッセージはアップリンク送信機会を示し、前記ＣＴＸメッセージはさらに、特定の時間においてアップリンクデータを同時にための前記２つ以上の局に対する要求を備え、
前記２つ以上の局のうちの少なくとも２つの局から前記特定の時間において複数のアップリンクデータ送信を受信するための手段と、
を備える、装置。
【請求項２】
前記ＣＴＸメッセージは、前記アップリンクデータの持続時間を示す物理層データユニット（ＰＰＤＵ）持続時間フィールドを備え、前記ＣＴＸメッセージはさらに、前記特定の時間においてアップリンクデータを同時に送信するために前記２つ以上の局を特定するユニキャストまたはマルチキャストアドレスを示す受信機アドレス（ＲＡ）フィールドを備える、請求項１に記載の装置。
【請求項３】
前記ＣＴＸメッセージは、アドレス識別子フィールド、空間ストリームの数フィールド、時間調整フィールド、電力調整フィールド、許可されるトラフィック識別子フィールド、変調およびコーディング方式フィールド、許可される送信モードの指示、ならびにトーン割振りフィールドのうちの１つまたは複数を備える、局（ＳＴＡ）情報フィールドを備える、請求項１に記載の装置。
【請求項４】
前記ＣＴＸメッセージは、前記アップリンクデータの前記送信の持続時間を示す物理層データユニット（ＰＰＤＵ）持続時間フィールドを備える、請求項１に記載の装置。
【請求項５】
前記ＣＴＸメッセージは、特定の局のための１つまたは複数の局（ＳＴＡ）情報フィールドを備える、請求項１に記載の装置。
【請求項６】
前記局（ＳＴＡ）情報フィールドは、許可される送信モードの指示を備える、請求項５に記載の装置。
【請求項７】
許可される送信モードの前記指示は、短い／長いガード間隔（ＧＩ）または巡回プレフィックスモード、バイナリ畳み込み符号（ＢＣＣ）／低密度パリティチェック（ＬＤＰＣ）モード、および空間時間ブロックコーディング（ＳＴＢＣ）モードのうちの１つまたは複数を備える、請求項６に記載の装置。
【請求項８】
前記ＣＴＸメッセージは、前記特定の時間においてアップリンクデータを同時に送信するために局のグループとしての前記２つ以上の局のデータレート情報を示すフィールドを備える、請求項１に記載の装置。
【請求項９】
受信するための前記手段はさらに、前記２つ以上の局からアップリンクデータの送信に対する要求を受信するように構成される、請求項１に記載の装置。
【請求項１０】
送信するための前記手段はさらに、アップリンクデータの送信に対する前記要求に応答して第２のＣＴＸメッセージを送信するように構成され、前記第２のＣＴＸメッセージは、アップリンクデータの送信に対する前記要求が受信されたことを示すが、前記アップリンク送信機会の指示を含まない、請求項９に記載の装置。
【請求項１１】
ワイヤレス通信のための方法であって、
クリアツートランスミット（ＣＴＸ）メッセージを２つ以上の局に送信することと、前記ＣＴＸメッセージはアップリンク送信機会を示し、前記ＣＴＸメッセージはさらに、特定の時間においてアップリンクデータを同時に送信するための前記２つ以上の局に対する要求を備え、
前記２つ以上の局のうちの少なくとも２つの局から前記特定の時間において複数のアップリンクデータ送信を受信することと、
を備える、方法。
【請求項１２】
前記ＣＴＸメッセージは、前記特定の時間においてアップリンクデータを同時に送信するために前記２つ以上の局を特定するユニキャストまたはマルチキャストアドレスを示す受信機アドレス（ＲＡ）フィールドを備え、前記ＣＴＸメッセージはさらに局（ＳＴＡ）情報フィールドを備える、請求項１１に記載の方法。
【請求項１３】
前記局（ＳＴＡ）情報フィールドは、アドレス識別子フィールド、空間ストリームの数フィールド、時間調整フィールド、電力調整フィールド、許可されるトラフィック識別子フィールド、ならびに変調およびコーディング方式フィールドのうちの１つまたは複数を備える、請求項１１に記載の方法。
【請求項１４】
第２のメッセージと集約された前記ＣＴＸメッセージを送信することをさらに備える、請求項１１に記載の方法。
【請求項１５】
コンピュータ上で実行されると、請求項１１〜１４のうちの一項に記載の方法を実行するための命令を備えるコンピュータプログラム。
【手続補正２】
【補正対象書類名】明細書
【補正対象項目名】００８３
【補正方法】変更
【補正の内容】
【００８３】
[0097]上記は、本開示の態様を対象とするが、本開示の基本的な範囲を逸脱することなく、本開示の他の態様およびさらなる態様が考案されてよく、本開示の範囲は以下の特許請求の範囲によって決定される。
以下に本願の出願当初の特許請求の範囲に記載された発明を付記する。
［Ｃ１］
ワイヤレス通信のための装置であって、
クリアツートランスミット（ＣＴＸ）メッセージを２つ以上の局に送信するように構成される送信機と、前記ＣＴＸメッセージはアップリンク送信機会を示し、前記ＣＴＸメッセージはさらに、特定の時間においてアップリンクデータを同時に送信するための前記２つ以上の局に対する要求を備え、
前記２つ以上の局の少なくとも２つの局から前記特定の時間において複数のアップリンクデータ送信を受信するように構成される受信機と、
を備える、装置。
［Ｃ２］
前記アップリンク送信機会は、前記複数のアップリンクデータ送信の各々に対して共通の持続時間を有する、Ｃ１に記載の装置。
［Ｃ３］
前記特定の時間は、前記メッセージの前記送信の終わりの後、短フレーム間空間（ＳＩＦＳ）またはポイントフレーム間空間（ＰＩＦＳ）時間に基づいて通信される、Ｃ１に記載の装置。
［Ｃ４］
前記受信機はさらに、前記ＣＴＸメッセージの前記送信の終わりの後、および前記複数のアップリンクデータの前記受信の前の時間に、共通のスクランブリングシーケンスを有する複数のクリアツーセンド（ＣＴＳ）メッセージを受信するように構成される、Ｃ１に記載の装置。
［Ｃ５］
前記ＣＴＸメッセージは、前記アップリンクデータの前記送信の持続時間を示す物理層データユニット（ＰＰＤＵ）持続時間フィールドを備える、Ｃ１に記載の装置。
［Ｃ６］
前記ＣＴＸメッセージは、特定の局のための１つまたは複数の局（ＳＴＡ）情報フィールドを備える、Ｃ１に記載の装置。
［Ｃ７］
前記局（ＳＴＡ）情報フィールドは、許可される送信モードの指示を備える、Ｃ６に記載の装置。
［Ｃ８］
許可される送信モードの前記指示は、短い／長いガード間隔（ＧＩ）または巡回プレフィックスモード、バイナリ畳み込み符号（ＢＣＣ）／低密度パリティチェック（ＬＤＰＣ）モード、および空間時間ブロックコーディング（ＳＴＢＣ）モードのうちの１つまたは複数を備える、Ｃ７に記載の装置。
［Ｃ９］
前記局（ＳＴＡ）情報フィールドは、周波数分割多元接続（ＦＤＭＡ）システムおよび／または直交ＦＤＭＡシステムを使用して、アップリンクデータの送信のためのトーンおよび／または周波数を示すトーン割振りフィールドを備える、Ｃ６に記載の装置。
［Ｃ１０］
前記局（ＳＴＡ）情報フィールドは、アップリンクデータの送信のための開始時間を示す送信開始時間フィールドを備える、Ｃ６に記載の装置。
［Ｃ１１］
前記局（ＳＴＡ）情報フィールドは、アドレス識別子フィールド、空間ストリームの数およびインデックス、時間調整フィールド、電力調整フィールド、許可されるトラフィック識別子フィールド、ならびに変調およびコーディング方式フィールドの１つまたは複数を備える、Ｃ６に記載の装置。
［Ｃ１２］
前記ＣＴＸメッセージは、前記特定の時間においてアップリンクデータを同時に送信するために前記２つ以上の局を局のグループとして示すグループ識別子（ＧＩＤ）フィールドを備える、Ｃ１に記載の装置。
［Ｃ１３］
前記ＣＴＸメッセージは、前記特定の時間においてアップリンクデータを同時に送信するために前記２つ以上の局を特定するユニキャストまたはマルチキャストアドレスを示す受信機アドレス（ＲＡ）フィールドを備える、Ｃ１に記載の装置。
［Ｃ１４］
前記ＣＴＸメッセージは、前記特定の時間においてアップリンクデータを同時に送信するために局のグループとしての前記２つ以上の局のデータレート情報を示すフィールドを備える、Ｃ１に記載の装置。
［Ｃ１５］
前記ＣＴＸメッセージは、フレーム制御フィールド、送信機アドレスフィールド、持続時間フィールド、および基本サービスセット識別子（ＢＳＳＩＤ）フィールドのうちの１つまたは複数を備える、Ｃ１に記載の装置。
［Ｃ１６］
前記ＣＴＸメッセージは、管理フレームまたは制御フレームを備える、Ｃ１に記載の装置。
［Ｃ１７］
前記受信機はさらに、前記２つ以上の局からアップリンクデータの送信に対する要求を受信するように構成される、Ｃ１に記載の装置。
［Ｃ１８］
アップリンクデータを送信するための前記要求は、リクエストツーセンド（ＲＴＳ）メッセージ、リクエストツートランスミット（ＲＴＸ）メッセージ、電力節約（ＰＳ）ポールメッセージ、またはサービス品質（ＱｏＳ）ヌルメッセージを備える、Ｃ１７に記載の装置。
［Ｃ１９］
前記送信機はさらに、アップリンクデータの送信に対する前記要求に応答して第２のＣＴＸメッセージを送信するように構成され、前記第２のＣＴＸメッセージは、アップリンクデータの送信に対する前記要求が受信されたことを示すが、前記アップリンク送信機会の指示を含まない、Ｃ１７に記載の装置。
［Ｃ２０］
前記送信機はさらに、第２のメッセージと集約された前記ＣＴＸメッセージを送信するように構成される、Ｃ１に記載の装置。
［Ｃ２１］
ワイヤレス通信のための方法であって、
クリアツートランスミット（ＣＴＸ）メッセージを２つ以上の局に送信することと、前記ＣＴＸメッセージはアップリンク送信機会を示し、前記ＣＴＸメッセージはさらに、特定の時間においてアップリンクデータを同時に送信するための前記２つ以上の局に対する要求を備え、
前記２つ以上の局の少なくとも２つの局から前記特定の時間において複数のアップリンクデータ送信を受信することと、
を備える、方法。
［Ｃ２２］
前記ＣＴＸメッセージは、前記特定の時間においてアップリンクデータを同時に送信するために前記２つ以上の局を特定するユニキャストまたはマルチキャストアドレスを示す受信機アドレス（ＲＡ）フィールドを備え、前記ＣＴＸメッセージはさらに局（ＳＴＡ）情報フィールドを備える、Ｃ２１に記載の方法。
［Ｃ２３］
前記局（ＳＴＡ）情報フィールドは、アドレス識別子フィールド、空間ストリームの数フィールド、時間調整フィールド、電力調整フィールド、許可されるトラフィック識別子フィールド、ならびに変調およびコーディング方式フィールドのうちの１つまたは複数を備える、Ｃ２１に記載の方法。
［Ｃ２４］
第２のメッセージと集約された前記ＣＴＸメッセージを送信することをさらに備える、Ｃ２１に記載の方法。
［Ｃ２５］
ワイヤレス通信のための装置であって、
クリアツートランスミット（ＣＴＸ）メッセージを２つ以上の局に送信するための手段と、前記ＣＴＸメッセージはアップリンク送信機会を示し、前記ＣＴＸメッセージはさらに、特定の時間においてアップリンクデータを同時に送信するための前記２つ以上の局に対する要求を備え、
前記２つ以上の局の少なくとも２つの局から前記特定の時間において複数のアップリンクデータ送信を受信するための手段と、
を備える、装置。
［Ｃ２６］
前記ＣＴＸメッセージは、前記アップリンクデータの持続時間を示す物理層データユニット（ＰＰＤＵ）持続時間フィールドを備え、前記ＣＴＸメッセージはさらに、前記特定の時間においてアップリンクデータを同時に送信するために前記２つ以上の局を特定するユニキャストまたはマルチキャストアドレスを示す受信機アドレス（ＲＡ）フィールドを備える、Ｃ２５に記載の装置。
［Ｃ２７］
前記ＣＴＸメッセージは、アドレス識別子フィールド、空間ストリームの数フィールド、時間調整フィールド、電力調整フィールド、許可されるトラフィック識別子フィールド、変調およびコーディング方式フィールド、許可される送信モードの指示、ならびにトーン割振りフィールドのうちの１つまたは複数を備える、局（ＳＴＡ）情報フィールドを備える、Ｃ２５に記載の装置。
［Ｃ２８］
実行されると、プロセッサに、
クリアツートランスミット（ＣＴＸ）メッセージを２つ以上の局に送信し、前記ＣＴＸメッセージはアップリンク送信機会を示し、前記ＣＴＸメッセージはさらに、特定の時間においてアップリンクデータを同時に送信するための前記２つ以上の局に対する要求を備え、
前記２つ以上の局の少なくとも２つの局から前記特定の時間において複数のアップリンクデータ送信を受信する
方法を実行させる命令を備える、非一時的コンピュータ可読媒体。
［Ｃ２９］
前記方法はさらに、前記ＣＴＸメッセージの前記送信の終わりの後、および前記複数のアップリンクデータの前記受信の前の時間に、共通のスクランブリングシーケンスを有する複数のクリアツーセンド（ＣＴＳ）メッセージを受信することを備える、Ｃ２８に記載の媒体。
［Ｃ３０］
前記ＣＴＸメッセージを送信することは、アップリンクデータの送信に対する要求に応答して、前記ＣＴＸメッセージを送信することを備える、Ｃ２８に記載の媒体。